(57)【要約】【課題】衣類の乾燥をヒートポンプで行うもので、蓄電装置など要さずに乾燥運転の開始時から加熱の充分な促進ができるようにする。【解決手段】乾燥室の空気を循環させる循環装置の凝縮器配設部分と乾燥室連通部分との間にヒータを設け、このヒータと圧縮機の作動について、乾燥運転の開始からヒータのみを作動させる第１区間と、第１区間の経過後にヒータと共に圧縮機を作動させる第２区間と、この第２区間の経過後に圧縮機のみを作動させる第３区間とを設けることにより、一般家庭の入力制限値内で、加熱の促進ができるものであり、よって、蓄電装置など要することなく、乾燥運転の開始時から加熱の充分な促進ができる。【選択図】図１
2008113944.tif 000002
【特許請求の範囲】
【請求項１】
乾燥室と、
この乾燥室の空気を循環用送風機により乾燥室外の通風路を通し乾燥室に戻す循環を行わしめる循環装置と、
この循環装置の前記通風路に蒸発器と凝縮器とを配設して、それらと圧縮機及び絞り器を、圧縮機、凝縮器、絞り器、蒸発器、及び圧縮機の順に接続することにより冷凍サイクルを構成したヒートポンプとを具え、
衣類を乾燥させる乾燥運転を行うものにおいて、
前記循環装置の凝縮器配設部分と乾燥室連通部分との間にヒータを設け、
このヒータと前記圧縮機の作動について、
乾燥運転の開始からヒータのみを作動させる第１区間と、
第１区間の経過後にヒータと共に圧縮機を作動させる第２区間と、
この第２区間の経過後に圧縮機のみを作動させる第３区間とを設けたことを特徴とする衣類乾燥機。
【請求項２】
ヒータが発熱度調整機能を有し、第１区間におけるヒータの発熱度を、第２区間におけるヒータの発熱度より高くするようにしたことを特徴とする請求項１記載の衣類乾燥機。
【請求項３】
絞り器が開度調整機能を有し、第２区間における絞り器の開度を、第３区間における絞り器の開度より大きくするようにしたことを特徴とする請求項１記載の衣類乾燥機。
【発明の詳細な説明】
【技術分野】
【０００１】
本発明は、衣類の乾燥をヒートポンプで行う衣類乾燥機に関する。
【背景技術】
【０００２】
従来より、衣類乾燥機（洗濯乾燥機）において、衣類の乾燥をヒートポンプ（冷凍サイクル）で行うものは、乾燥性能が良く、エネルギーの省減に効果があるものとして注目されている。このヒートポンプを具えた衣類乾燥機においては、衣類を収容する乾燥室の空気を、ヒートポンプの蒸発器と凝縮器とを配設した通風路を通して循環させ、そのうちの蒸発器で空気の冷却除湿をし、凝縮器で空気の加熱をして、乾燥室に逐次送り込み、そして又、衣類から水分を奪った空気を通風路に通すということを繰り返すことにより、衣類を漸次乾燥させるようにしている。
【０００３】
従って、衣類を乾燥させる際に発生する水分を蒸発器で回収し、その折りに吸収した潜熱を圧縮機により高温の冷媒状態に変換し、凝縮器で空気を加熱するエネルギーとして再使用する。このようにすることで、外部には僅かな放熱ロスがある以外、ほとんどエネルギーを逃がさず再利用できる。従って、効率の良い乾燥を実現できるのである（例えば特許文献１参照）。
【０００４】
しかしながら、このヒートポンプで衣類の乾燥を行う衣類乾燥機においては、乾燥運転の開始直後はヒートポンプを冷媒が安定して循環するようになっておらず、仕事量が少ない。このため、加熱性能は運転の開始からヒータと同等の入力値に至っても７０〔％〕程度であり、加えて、乾燥運転の開始直後は蒸発器の温度が低下し、この蒸発器を通って温度低下した空気を凝縮器で加熱するため、加熱効率が悪い。
【０００５】
これに対して、ヒートポンプと共にヒータを具え、このヒータとヒートポンプの圧縮機とを乾燥運転の開始からほゞ同時に作動させることで、循環空気の加熱を促進するようにしたものもある（例えば特許文献２参照）。
【特許文献１】特公平６−７５６２８号公報
【特許文献２】特開２００５-５２５４４号公報
【発明の開示】
【発明が解決しようとする課題】
【０００６】
しかしながら、上述の、ヒートポンプと共にヒータを具えものでは、そのヒータとヒートポンプの圧縮機とを乾燥運転の開始からほゞ同時に作動させると、衣類乾燥機の入力値が一般家庭の制限値（例えば１５００〔Ｗ〕）を早々に超えてしまうため、早期にヒータの作動を停止せざるを得ず、加熱の充分な促進ができない。このために、ヒータに供給する電力を蓄える蓄電装置が具えられているものの、そのような蓄電装置は非常に高価であり、大きさも大きくて、家庭用衣類乾燥機には適さない。
【０００７】
本発明は上述の事情に鑑みてなされたものであり、従ってその目的は、蓄電装置など要さずに乾燥運転の開始時から加熱の充分な促進ができる衣類乾燥機を提供するにある。
【課題を解決するための手段】
【０００８】
上記目的を達成するために、本発明の衣類乾燥機においては、乾燥室と、この乾燥室の空気を循環用送風機により乾燥室外の通風路を通し乾燥室に戻す循環を行わしめる循環装置と、この循環装置の前記通風路に蒸発器と凝縮器とを配設して、それらと圧縮機及び絞り器を、圧縮機、凝縮器、絞り器、蒸発器、及び圧縮機の順に接続することにより冷凍サイクルを構成したヒートポンプとを具え、衣類を乾燥させる乾燥運転を行うものにおいて、前記循環装置の凝縮器配設部分と乾燥室連通部分との間にヒータを設け、このヒータと前記圧縮機の作動について、乾燥運転の開始からヒータのみを作動させる第１区間と、第１区間の経過後にヒータと共に圧縮機を作動させる第２区間と、この第２区間の経過後に圧縮機のみを作動させる第３区間とを設けたことを特徴とする（請求項１の発明）。
【発明の効果】
【０００９】
上記手段によれば、乾燥運転の第１区間でヒートポンプの圧縮機を作動させずにヒータのみを作動させ、第２区間でヒータと共にヒートポンプの圧縮機をも作動させることで、一般家庭の入力制限値内で、加熱の促進ができるものであり、よって、蓄電装置など要することなく、乾燥運転の開始時から加熱の充分な促進ができる。
【発明を実施するための最良の形態】
【００１０】
以下、本発明を洗濯乾燥機に適用して、その第１実施例（第１の実施形態）につき、図１ないし図４を参照して説明する。
まず、図２には、洗濯乾燥機、中でもドラム式（横軸形）洗濯乾燥機の全体構成を示しており、外箱１の内部に、水槽２を配設し、水槽２の内部に回転槽（ドラム）３を配設している。
【００１１】
上記水槽２及び回転槽３は、ともに円筒状を成すもので、前側（図中、左側）の端面部にそれぞれの開口部４，５を有しており、そのうちの水槽２の開口部４を、外箱１の前面部に形成した洗濯物出し入れ用の開口部６にベローズ７で連ねている。外箱１の開口部６には扉８を開閉可能に設けている。
【００１２】
回転槽３には又、周側部（胴部）のほゞ全域に孔９を形成しており（一部のみ図示）、この孔９は、洗濯時及び脱水時に通水孔として機能し、乾燥時には通風孔として機能するようになっている。水槽２には、前側の端面部の上部（前記開口部４より上方の部分）に温風出口１０を形成しており、後側の端面部の上部に温風入口１１を形成している。このほか、水槽２の底部の最後部には、排水口１２を形成しており、この排水口１２に水槽２外で排水弁１３を接続し、更に、排水弁１３に排水ホース１４を接続して、これらにより水槽２内の水を機外に排出するようにしている。
【００１３】
回転槽３の後側の端面部の後面（背面）には、補強部材１５を取付けており、この補強部材１５の中心部に回転軸１６を取付けて後方へ突出させている。回転槽３の後側の端面部の中心部周りには、多数の温風導入孔１７を形成している。
【００１４】
水槽２の後側の端面部の中心部には、軸受ハウジング１８を取付けており、この軸受ハウジング１８の中心部に上記回転軸１６を挿通して軸受１９，２０により回転可能に支承している。又、それにより、回転槽３を水槽２にそれと同軸状で回転可能に支持している。なお、水槽２は、図示しないサスペンションにより前記外箱１に弾性支持しており、その支持形態は、水槽２の軸方向が前後となる横軸状で、しかも前上がりの傾斜状であり、従って、この水槽２に上述のように支持された回転槽３も、同形態となっている。
【００１５】
前記軸受ハウジング１８には、外周に、モータ２１のステータ２２を取付けており、このステータ２２に、回転軸１６の後端部に取付けたロータ２３を外側から対向させている。従って、モータ２１はアウターロータ形であり、更に、この場合、ブラシレスＤＣモータであって、回転軸１６を中心に回転槽３を回転させる駆動装置として機能するようになっている。
【００１６】
水槽２の後側の端面部の内側には、温風カバー２４を装着している。一方、前記補強部材１５には、前記回転軸１６を取付けた中心部の周囲部分に複数の比較的大きな温風導入口２５を形成しており、この部分の外周部にシール部材２６を装着し、このシール部材２６を温風カバー２４の前面に圧接させることによって、前記温風入口１１から上記温風導入口２５へと気密に通じる温風通路２７を構成している。
【００１７】
水槽２の下方（外箱１の底面上）には、複数個のクッション２８を介して台板２９を配置し、この台板２９上に通風ダクト３０を配置している。この通風ダクト３０は、前端部の上部に吸風口３１を有しており、この吸風口３１に、前記水槽２の温風出口１０を還風ダクト３２及び接続ホース３３を介して接続している。なお、還風ダクト３２は前記ベローズ７の左側を迂回するように配管している。
【００１８】
一方、通風ダクト３０の後端部には循環用送風機３４のケーシング３５を接続しており、このケーシング３５の出口部３６を、接続ホース３７及び給風ダクト３８を介して、前記水槽２の温風入口１１に接続している。なお、給風ダクト３８は前記モータ２１の左側を迂回するように配管している。
【００１９】
これらの結果、還風ダクト３２、接続ホース３３、通風ダクト３０、ケーシング３５、接続ホース３７、給風ダクト３８により、前記水槽２の温風出口１０と温風入口１１とを接続して通風路３９が設けられており、循環用送風機３４は、その通風路３９を通じ回転槽３内の空気を回転槽３外に出して回転槽３内に戻す循環を行わしめるようになっており、もって、通風路３９と循環用送風機３４とにより回転槽３内の空気を循環させる循環装置４０が構成されている。
なお、循環用送風機３４は、この場合、遠心ファンであり、ケーシング３５の内部に遠心羽根車３４ａを有していて、その遠心羽根車３４ａを回転させるモータ３４ｂをケーシング３５の外部に有している。
【００２０】
しかして、通風路３９中、通風ダクト３０の内部には、前部から後部へ順に、フィルタ４１、蒸発器４２、凝縮器４３を配置している。このうち、フィルタ４１は、前記水槽２の温風出口１０から還風ダクト３２及び接続ホース３３を通じて通風ダクト３０に流入する回転槽３内の空気に運ばれるリント（糸くず）を捕獲するものであり、蒸発器４２は、蛇行状を成す例えば銅製の冷媒流通パイプに、例えばアルミニウム製の伝熱フィンを多数装着して成るもので、凝縮器４３も同様の構成であり、それらの伝熱フィンの各間を、通風ダクト３０を流れる回転槽３内の空気が通るようになっている。
【００２１】
そして、循環装置４０の凝縮器４３配設部分と乾燥室連通部分である前記水槽２の温風入口１１との間（この場合、給風ダクト３８内）には、ヒータ４４を内設している。このヒータ４４は、シーズ線など電気ヒータから成っている。
【００２２】
蒸発器４２及び凝縮器４３は、図３に示す圧縮機４５及び絞り器４６と共にヒートポンプ４７を構成するもので、このヒートポンプ４７においては、接続パイプ４８によって、圧縮機４５、凝縮器４３、絞り器４６、蒸発器４２の順にこれらをサイクル接続しており（冷凍サイクル）、圧縮機４５が作動することによって、サイクルに封入した冷媒を循環させるようになっている。なお、圧縮機４５は、図２に示すように、通風ダクト３０外に並設している。
又、前記ヒータ４４の出力は圧縮機４５の定格出力以上に設定している。一例として、圧縮機４５に出力が７００〔Ｗ〕のものを用い、ヒータ４４には出力が１０００〔Ｗ〕のものを用いている。
【００２３】
絞り器４６は、この場合、膨張弁（特には電子式膨張弁〔ＰＭＶ：Ｐｕｌｓｅ  Ｍｏｔｏｒ  Ｖａｌｖｅ〕）から成っており、開度調整機能を有している。
通風ダクト３０の側面部中、前記吸風口３１と蒸発器４２との間における側面部中の、通風ダクト３０底面部の最低部３０ａに臨む部分には、除湿水排出口４９を形成しており、この除湿水排出口４９は、前記外箱１の側面下部に形成した排水口５０に接続パイプ５１によって接続している。なお、通風ダクト３０は、底面部中の、蒸発器４２の直下に位置する部分３０ｂを上記除湿水排出口４９に向け下降する傾斜面としている。
【００２４】
一方、前記外箱１内の後上部には給水弁５２を配置している。この給水弁５２は、出口部を複数有するもので、それらは前記外箱１内の前側の上部に配置した給水ボックス５３に接続パイプ５４，５５によって接続している。更に、給水ボックス５３は、詳しくは図示しないが、洗剤投入部並びに柔軟仕上剤投入部を有していて、上記給水弁５２は、出口部の開放の選択により、洗い時に接続パイプ５４から給水ボックス５３の洗剤投入部を経て前記水槽２内に給水し、最終すすぎ時に接続パイプ５５から給水ボックス５３の柔軟仕上剤投入部を経て同じく水槽２内に給水するようにしている。
【００２５】
このほか、外箱１の前面部の上部の裏側には、制御装置５６を設けている。この制御装置５６は、例えばマイクロコンピュータから成るもので、洗濯乾燥機の作動全般を制御する制御手段として機能するものであり、図４に示すように、操作パネル（図示省略）が有した各種操作スイッチから成る操作入力部５７より各種操作信号が入力されると共に、前記水槽２内の水位を検知するように設けた水位センサ５８から水位検知信号が入力され、前記蒸発器４２、凝縮器４３、圧縮機４５、及び圧縮機４５の冷媒吐出部、の各温度を検知する温度検知手段である温度センサ５９〜６２からそれぞれ温度検知信号が、そして、全入力電流値を検知する電流値検知手段である電流値センサ６３から電流値検知信号が入力されるようになっている。
【００２６】
制御装置５６は、上記各種信号の入力並びにあらかじめ記憶した制御プログラムに基づいて、前記給水弁５２と、モータ２１、排水弁１３、圧縮機４５、絞り器４６、循環用送風機３４のモータ３４ｂ、ヒータ４４、及び圧縮機冷却用送風機６４を、駆動回路６５を介して制御するようになっている。なお、圧縮機冷却用送風機６４は、図３以外には図示しないが、圧縮機４５と並べて、該圧縮機４５を冷却するように設けている。
【００２７】
次に、上記構成の洗濯乾燥機の作用を述べる。
上記構成の洗濯乾燥機では、標準的な運転コースが開始されると、最初に洗濯（洗い及びすすぎ）運転が開始される。この洗濯運転では、給水弁５２にて水槽２内に給水する動作が行われ、続いて、モータ２１が作動されることにより、回転槽３が低速で正逆両方向に交互に回転される。
洗濯運転が終了すると、次に脱水運転が開始される。この脱水運転では、水槽２内の水を排出した後、回転槽３を高速で一方向に回転させる動作が行われる。これにより、回転槽３内の洗濯物は遠心脱水される。
【００２８】
脱水運転が終了すると、次に乾燥運転が実行される。この乾燥運転では、最初に、回転槽３を低速で正逆両方向に回転させつつ、ヒータ４４を作動させると共に、循環用送風機３４のモータ３４ｂを作動させる。すると、遠心羽根車３４ａの送風作用で、図２に矢印で示すように、回転槽３内の空気が水槽２の温風出口１０から通風路３９の還風ダクト３２及び接続ホース３３を経て通風ダクト３０内に流入される。この通風ダクト３０内に流入した空気は、フィルタ４１、蒸発器４２、凝縮器４３を順に通るものの、このときにはヒートポンプ４７の圧縮機４５を作動させておらず、従って、蒸発器４２及び凝縮器４３による作用を受けない。凝縮器４３を通った空気は、その後、遠心羽根車３４ａで加速されて給風ダクト３８を経る過程でヒータ４４に接し、それによる加熱作用を受けて温度上昇し、温風となって温風入口１１から水槽２内に戻され、更に、温風通路２７、温風導入口２５を経て、温風導入孔１７から回転槽３内に戻される。
【００２９】
回転槽３内に戻された温風は洗濯物の水分を奪った後、前記温風出口１０から還風ダクト３２及び接続ホース３３を経て通風ダクト３０内に流入するものであり、かくして、回転槽３内の洗濯物の乾燥が開始される。従って、この時、回転槽３内は乾燥室として機能する。
【００３０】
そして、そのような運転を所定時間行った後には、ヒートポンプ４７の圧縮機４５の作動を加える。ヒートポンプ４７の圧縮機４５を作動させると、ヒートポンプ４７に封入した冷媒が圧縮機４５で圧縮されて高温高圧の冷媒となり、その高温高圧の冷媒が次に凝縮器４３に流れて、通風ダクト３０内を上述のように通る空気と熱交換する。その結果、通風ダクト３０内を通る空気が加熱され、反対に、冷媒の温度は低下して液化される。この液化された冷媒が、次に、絞り器４６を通過して減圧された後、蒸発器４２に流入し、気化する。それにより、蒸発器４２は通風ダクト３０内を上述のように通る空気を冷却する。蒸発器４２を通過した冷媒は圧縮機４５に戻る。
【００３１】
これらにより、前記水槽２内から通風ダクト３０内に流入した空気は、蒸発器４２で冷却されて除湿され、その後に凝縮器４３で加熱されて温風化される。そして、その温風が給風ダクト３８を経る過程で更にヒータ４４により加熱されて、上述のように回転槽３内に戻され、回転槽３内で洗濯物の水分を奪った後、通風ダクト３０内に流入するものであり、かくして、回転槽３内の洗濯物の乾燥が進められる。
そして又、そのような運転を一般家庭の入力制限値に達するまで行った後には、ヒータ４４の作動を停止させ、以後、回転槽３の回転と、循環用送風機３４の作動、及びヒートポンプ４７の圧縮機４５の作動で乾燥運転を続ける。
【００３２】
図１は、このような乾燥運転の様子を、ヒータ４４と圧縮機４５の作動に限って、消費電力の変化と、凝縮器４３の温度並びに蒸発器４２の温度の変化とで示している。乾燥運転の初期には、加熱を早期に行うことが乾燥速度を上げる上で非常に重要である。それに対して、上記構成のものでは、乾燥運転の開始から所定時間までは、第１区間として、ヒータ４４のみを作動させるようにしており、それにより、回転槽３内の温度が上昇する。又、このときの消費電力は、ヒータ４４の作動に要するのみであり、例えば１０００〔Ｗ〕である。
【００３３】
この第１区間の経過後には、第２区間として、ヒータ４４と共に圧縮機４５を作動させるようにしており、それにより、回転槽３内の温度が更に上昇する。このとき、最初は圧縮機４５が冷媒を安定して循環させる領域となっておらず、仕事量が少ない。よって、圧縮機４５を作動させる消費電力も多くはなく、この圧縮機４５を作動させる消費電力の多くないときに、ヒータ４４と圧縮機４５の双方を作動させることにより、回転槽３内の温度上昇を早める。
【００３４】
圧縮機４５が冷媒の循環を安定して行うようになるに従って消費電力は増加するものであり、その消費電力が一般家庭の制限値近く（例えば１４００〔Ｗ〕）に達すれば、第３区間として、ヒータ４４の作動を停止させ、圧縮機４５のみを作動させるようにしている。このときには、圧縮機４５は冷媒の循環を安定して行うようになっており、又、回転槽３内の温度上昇の充分になっているから、以後、この圧縮機４５のみを作動させることにより乾燥運転を乾燥終了まで行う。
【００３５】
このように上記構成のものでは、乾燥運転の第１区間でヒートポンプ４７の圧縮機４５を作動させずにヒータ４４のみを作動させ、第２区間でヒータ４４と共にヒートポンプ４７の圧縮機４５をも作動させることで、一般家庭の入力制限値内で、加熱の促進ができるものであり、よって、蓄電装置など要することなく、乾燥運転の開始時から加熱の充分な促進ができ、乾燥速度を上げることができる。
【００３６】
以上に対して、図５ないし図９は本発明の第２ないし第６実施例（第２ないし第６の実施形態）を示すもので、それぞれ、第１実施例と同一の部分には同一の符号を付して説明を省略し、異なる部分についてのみ述べる。
【００３７】
［第２実施例］
図５に示す第２実施例においては、第１区間におけるヒータ４４の発熱度を、第２区間におけるヒータ４４の発熱度より高くするようにしている。具体的には、第１区間におけるヒータ４４の発熱度を、ヒータ４４単独の消費電力で一般家庭の制限値近く（例えば１４００〔Ｗ〕）とし、第２区間におけるヒータ４４の発熱度を、圧縮機４５の作動と合わせた消費電力が最大で一般家庭の制限値近く（例えば１４００〔Ｗ〕）となるようにしている。
これにより、第１区間における加熱速度を第１実施例のそれ以上に高めることができ、しかも、一般家庭の消費電力の制限以内での制御ができる。
【００３８】
［第３実施例］
図６に示す第３実施例においては、第２区間における絞り器４６の開度（Ｐ１）を、第３区間における絞り器４６の開度（Ｐ２）より大きくするようにしている。
絞り器４６の開度を大きくすると、蒸発器４２と凝縮器４３との温度差が小さくなり、消費電力も少なくなる。反対に、絞り器４６の開度を小さくすると、蒸発器４２と凝縮器４３との温度差が大きくなり、消費電力も多くなる。
【００３９】
従って、第２区間における絞り器４６の開度を、第３区間における絞り器４６の開度より大きくすることで、第２区間における消費電力が第３区間における消費電力より抑えられ、その分、第２区間を長く延ばすことができて、ヒータ４４の作動による加熱効果を長く与え、増すことができる。
【００４０】
［第４実施例］
図７に示す第４実施例においては、第２区間以降に、温度センサ５９〜６２で検知する、蒸発器４２、凝縮器４３、圧縮機４５、及び圧縮機４５の冷媒吐出部、の各温度のいずれかが所定値以上となったときに、圧縮機冷却用送風機６４を作動、絞り器４６の開度を大きくする、ヒータ４４の作動を停止させる、圧縮機４５の作動を停止させる、の順に制御を行うようにしている。
【００４１】
例えば外気温が高い場合や、乾燥運転を行った直後など、温度や圧力が高くなり過ぎて本来の使用範囲を逸脱する場合がある。このようなとき、乾燥性能の向上効果を必要以上に下げずに対処するものである。図示例は、具体的に、凝縮器４３の温度が図７の最下段に破線で示す所定値を超えた場合を示しており、凝縮器４３の温度は圧縮機４５の内部圧力に対応して上昇する。
そして、この場合、凝縮器４３の温度が所定値を超えたことに基づいて、圧縮機冷却用送風機６４を作動（オフ→オン）、絞り器４６の開度を大きくする（Ｐ１→Ｐ２）、の順に制御を行うようにしている。
【００４２】
この結果、圧縮機４５が冷却され、内部の温度、圧力が降下される。又、絞り器４６の開度を大きくすることで、前述のように、蒸発器４２と凝縮器４３との温度差が小さくなり、冷媒が液体の状態で循環しやすくなるので、圧縮機４５の内部温度、圧力の降下に一層の効果がある。そしてそ、それらにより、凝縮器４３の温度は所定値より低下する。又、この場合、ヒータ４４の作動は停止させないので、加熱の促進効果を失わず、従って、乾燥性能の向上効果を必要以上に下げずに対処できるものである。
【００４３】
なお、この場合、上述の圧縮機冷却用送風機６４を作動、絞り器４６の開度を大きくする、の制御を行っても、凝縮器４３の温度が所定値より低下しない場合には、更に、ヒータ４４の作動を停止させる（オン→オフ）制御を行うことで、温度、圧力を降下させ、それでもなお凝縮器４３の温度が所定値より低下しない場合には、更に、圧縮機４５の作動を停止させる（オン→オフ）制御を行うことで、異状に最終対応をし、安全性の確保をする。
【００４４】
［第５実施例］
図８に示す第５実施例においては、電流値センサ６３で検知する全入力電流値が所定値以上となったときに、絞り器４６の開度を大きくする、ヒータ４４の作動を停止させる、圧縮機４５の作動を停止させる、の順に制御を行うようにしている。この場合、それらの制御は全入力電流値の降下に効果があるが、圧縮機冷却用送風機６４を作動させても、全入力電流値の降下に効果がないことから、それは行わない。
【００４５】
又、この場合も、図示例では、全入力電流値が図８の最下段に破線で示す所定値に達したことに基づいて、絞り器４６の開度を大きくする（Ｐ１→Ｐ２）の制御のみを行うようにしているが、それでもなお凝縮器４３の温度が所定値より低下しない場合には、ヒータ４４の作動を停止させる（オン→オフ）、圧縮機４５の作動を停止させる（オン→オフ）、の順に制御を行って全入力電流値を降下させ、消費電力の低減、安全性の確保をする。
【００４６】
［第６実施例］
図９に示す第６実施例においては、まず、乾燥運転の初期に脱水運転（回転槽３高速回転）を行って、洗濯物の乾燥が更に効果的に行われるようにしている。そして、そのときに電流値センサ６３で検知する全入力電流値が所定値以上となった場合には、絞り器４６の開度を大きくする、ヒータ４４の作動を停止させる、圧縮機４５の作動を停止させる、の順に制御を行うようにしている。
【００４７】
又、この場合も、図示例では、全入力電流値が図９の最下段に破線で示す所定値に達したことに基づいて、絞り器４６の開度を大きくする（Ｐ１→Ｐ２）の制御のみを行うようにしているが、それでもなお凝縮器４３の温度が所定値より低下しない場合に、ヒータ４４の作動を停止させる（オン→オフ）、圧縮機４５の作動を停止させる（オン→オフ）、の順に制御を行って全入力電流値を降下させ、消費電力の低減、安全性の確保をする。
【００４８】
以上、本発明の第１ないし第６実施例を説明したが、本発明はそれらに限定されるものではなく、特にヒータとヒートポンプの圧縮機とを共に作動させる第２区間は、複数段に分けて消費電力を段階的に上げるようにしても良いし、又、洗濯乾燥機の全体も、上述の横軸形に限られず、水槽及び回転槽を縦軸状に有する縦軸形であっても良い。更に、乾燥室は回転しなくても良いし、又、本来的には洗濯と乾燥の両機能を有する洗濯乾燥機に限られず、乾燥機能のみを有する衣類乾燥機に適用できるなど、本発明の要旨を逸脱しない範囲内で適宜変更して実施し得る。
【図面の簡単な説明】
【００４９】
【図１】本発明の第１実施例を示す特性図
【図２】全体の縦断側面図
【図３】ヒートポンプのサイクル構成図
【図４】電気的構成のブロック図
【図５】本発明の第２実施例を示す特性図
【図６】本発明の第３実施例を示す特性図
【図７】本発明の第４実施例を示すタイムチャート
【図８】本発明の第５実施例を示すタイムチャート
【図９】本発明の第６実施例を示すタイムチャート
【符号の説明】
【００５０】
図面中、３は回転槽（乾燥室）、３４は循環用送風機、３９は通風路、４０は循環装置、４２は蒸発器、４３は凝縮器、４４はヒータ、４５は圧縮機、４６は絞り器、４７はヒートポンプ、５６は制御装置（制御手段）を示す。
【図１】
2008113944.tif 000003
【図２】
2008113944.tif 000004
【図３】
2008113944.tif 000005
【図４】
2008113944.tif 000006
【図５】
2008113944.tif 000007
【図６】
2008113944.tif 000008
【図７】
2008113944.tif 000009
【図８】
2008113944.tif 000010
【図９】
2008113944.tif 000011